(57)【要約】【課題】表示端末がどのようなコンテンツデータを表示可能かの把握を容易にする。【解決手段】表示部９０１は、記憶部が記憶するコンテンツデータを不揮発的に表示する。表示制御部１０２は、コンテンツデータの表示を停止させる表示停止指示を受け付けた場合に、表示部９０１の表示の少なくとも一部を、前記コンテンツデータの一部または前記コンテンツデータの関連情報に変更する。【選択図】図１０
2018100985.tif 000002
【特許請求の範囲】
【請求項１】
記憶部に記録されたコンテンツデータを不揮発的に表示する表示部と、
前記コンテンツデータの表示を停止させる表示停止指示を受け付けた場合に、前記表示部の表示の少なくとも一部を前記コンテンツデータの一部または前記コンテンツデータの関連情報に変更する表示制御部と、
を備える表示端末。
【請求項２】
前記関連情報を取得する取得部をさらに備え、
前記表示制御部が、前記表示停止指示を受け付けた場合に、前記表示部の表示の少なくとも一部を前記取得部が取得した前記関連情報に変更する
請求項１に記載の表示端末。
【請求項３】
前記表示停止指示が、自装置の電源遮断指示を含み、
前記電源遮断指示を受け付けた場合に、前記表示制御部が前記表示部の表示の少なくとも一部を前記コンテンツデータの一部または前記関連情報に変更した後に、自装置の電源を遮断する電源制御部をさらに備える
請求項１または請求項２に記載の表示端末。
【請求項４】
前記表示制御部が、前記表示停止指示を受け付けた場合に、前記表示部の表示を前記コンテンツデータに代えて前記コンテンツデータの一部または前記関連情報に変更する
請求項１から請求項３の何れか１項に記載の表示端末。
【請求項５】
前記記憶部が、前記関連情報を記憶し、
前記表示制御部が、前記表示停止指示を受け付けた場合に、前記表示部の表示の少なくとも一部を前記記憶部が記憶する前記関連情報に変更する
請求項１から請求項４の何れか１項に記載の表示端末。
【請求項６】
前記コンテンツデータが閲覧または編集された場合に、前記記憶部が記憶する前記関連情報を更新する更新部をさらに備える
請求項５に記載の表示端末。
【請求項７】
前記記憶部が記憶する前記コンテンツデータに基づいて前記関連情報を生成する生成部をさらに備え、
前記表示制御部が、前記表示停止指示を受け付けた場合に、前記表示部の表示の少なくとも一部を前記生成部が生成した前記関連情報に変更する
請求項５または請求項６に記載の表示端末。
【請求項８】
前記関連情報が、前記コンテンツデータを識別する識別情報を含む
請求項１から請求項７の何れか１項に記載の表示端末。
【請求項９】
前記関連情報が、前記コンテンツデータの内容を表す情報を含む
請求項１から請求項８の何れか１項に記載の表示端末。
【請求項１０】
前記記憶部が、複数のコンテンツデータを記憶し、
前記表示制御部が、表示停止指示を受け付けた場合に、前記表示部の表示の少なくとも一部を前記記憶部が記憶する前記複数のコンテンツデータのリストに変更する
請求項１から請求項９の何れか１項に記載の表示端末。
【請求項１１】
前記表示停止指示を受け付けた場合に、前記コンテンツデータの一部または前記関連情報を前記表示部に表示させるか否かを判定する判定部をさらに備える
請求項１から請求項１０の何れか１項に記載の表示端末。
【請求項１２】
前記判定部が、所定の通信が検出できた場合に、前記コンテンツデータの一部または前記関連情報を前記表示部に表示させると判定する
請求項１１に記載の表示端末。
【請求項１３】
前記判定部が、前記コンテンツデータの一部または前記関連情報を前記表示部に表示させるか否かを示す設定に基づいて、前記コンテンツデータの一部または前記関連情報を前記表示部に表示させるか否かを判定する
請求項１１に記載の表示端末。
【請求項１４】
前記表示停止指示を受け付けた場合に、利用者から前記コンテンツデータの一部または前記関連情報を前記表示部に表示させるか否かの入力を受け付ける入力部をさらに備え、
前記判定部が、前記入力部に入力された情報に基づいて前記コンテンツデータの一部または前記関連情報を前記表示部に表示させるか否かを判定する
請求項１１に記載の表示端末。
【請求項１５】
情報を不揮発的に表示する表示部に、記憶部に記録されたコンテンツデータを表示させるステップと、
前記コンテンツデータの表示を停止させる表示停止指示を受け付けるステップと、
前記表示停止指示を受け付けた場合に、前記表示部の表示の少なくとも一部を前記コンテンツデータの一部または前記コンテンツデータの関連情報に変更するステップと
を有する表示制御方法。
【請求項１６】
記憶部に記録されたコンテンツデータを不揮発的に表示する表示部を備えるコンピュータを、
前記コンテンツデータの表示を停止させる表示停止指示を受け付けた場合に、前記表示部の表示の少なくとも一部を前記コンテンツデータの一部または前記コンテンツデータの関連情報に変更する表示制御部
として機能させるためのプログラム。
【発明の詳細な説明】
【技術分野】
【０００１】
本発明は、表示端末、表示制御方法、およびプログラムに関する。
【背景技術】
【０００２】
内蔵された記憶部に記録されたコンテンツデータを、電子ペーパーに表示する表示端末が知られている。電子ペーパーは、電源の供給が無くても画像が消えない、不揮発な表示装置である。
【０００３】
特許文献１には、液晶パネルの電源がオフされたときにも表示が継続する技術として、液晶ディスプレイと電子ペーパーとを重畳した表示手段を備え、液晶パネルの電源がオフされたときに電子ペーパーに所定の画像を表示させる技術が開示されている。
【先行技術文献】
【特許文献】
【０００４】
【特許文献１】特開２００６−１３９１４５号公報
【発明の概要】
【発明が解決しようとする課題】
【０００５】
上述した表示端末にどのようなコンテンツデータが記録されているかを利用者が把握するためには、利用者は、表示端末を起動してコンテンツデータのリストを表示させ、または予め紙などに当該リストを印刷するなどの処置をする必要があった。特に、異なるコンテンツデータを記憶する表示端末が複数存在する場合、所望のコンテンツデータが記録されている表示端末を探すことは困難である。
本発明の目的は、上述した課題を解決する表示端末、表示制御方法、およびプログラムを提供することにある。
【課題を解決するための手段】
【０００６】
本発明の第１の態様によれば、表示端末は、記憶部に記録されたコンテンツデータを不揮発的に表示する表示部と、前記コンテンツデータの表示を停止させる表示停止指示を受け付けた場合に、前記表示部の表示の少なくとも一部を前記コンテンツデータの一部または前記コンテンツデータの関連情報に変更する表示制御部と、を備える。
【０００７】
本発明の第２の態様によれば、表示制御方法は、情報を不揮発的に表示する表示部に、記憶部に記録されたコンテンツデータを表示させるステップと、前記コンテンツデータの表示を停止させる表示停止指示を受け付けるステップと、前記表示停止指示を受け付けた場合に、前記表示部の表示の少なくとも一部を前記コンテンツデータの一部または前記コンテンツデータの関連情報に変更するステップとを有する。
【０００８】
本発明の第３の態様によれば、プログラムは、記憶部に記録されたコンテンツデータを不揮発的に表示する表示部を備えるコンピュータを、前記コンテンツデータの表示を停止させる表示停止指示を受け付けた場合に、前記表示部の表示の少なくとも一部を前記コンテンツデータの一部または前記コンテンツデータの関連情報に変更する表示制御部として機能させる。
【発明の効果】
【０００９】
上記態様のうち少なくとも１つの態様によれば、表示端末は、表示停止指示を受け付けた場合に、表示部にコンテンツデータに関する情報である関連情報を表示させる。これにより、電源がオフになっている表示端末には、コンテンツデータに関する情報が不揮発に表示されるため、利用者は、当該表示端末を用いてどのようなコンテンツデータを表示できるかを容易に把握することができる。
【図面の簡単な説明】
【００１０】
【図１】第１の実施形態に係る表示端末の構成を示す概略ブロック図である。
【図２】第１の実施形態に係る表示端末の動作を示すフローチャートである。
【図３】関連情報の例を示す図である。
【図４】第２の実施形態に係る表示端末の構成を示す概略ブロック図である。
【図５】第２の実施形態に係る表示端末の動作を示すフローチャートである。
【図６】第３の実施形態に係る表示端末の構成を示す概略ブロック図である。
【図７】第３の実施形態に係る表示端末の動作を示すフローチャートである。
【図８】第４の実施形態に係る表示端末の構成を示す概略ブロック図である。
【図９】第５の実施形態に係る表示端末の構成を示す概略ブロック図である。
【図１０】表示端末の基本構成を示す概略ブロック図である。
【発明を実施するための形態】
【００１１】
《第１の実施形態》
以下、図面を参照しながら第１の実施形態について詳しく説明する。
図１は、第１の実施形態に係る表示端末の構成を示す概略ブロック図である。
本実施形態に係る表示端末１は、ＣＰＵ１００、主記憶装置２００、補助記憶装置３００、インタフェース４００、表示装置５００、入力装置６００を備える。
ＣＰＵ１００は、補助記憶装置３００に記録されたプログラムの実行により表示端末１を制御する。
主記憶装置２００は、ＣＰＵ１００が実行するプログラムで用いるデータを一時的に記憶する。
補助記憶装置３００は、データを不揮発的に記憶する装置である。補助記憶装置３００は、プログラム記憶部３０１およびコンテンツ記憶部３０２を備える。プログラム記憶部３０１は、ＣＰＵ１００に実行させるプログラムを記憶する。コンテンツ記憶部３０２は、表示装置５００に表示させるコンテンツデータを記憶する。またコンテンツ記憶部３０２は、各コンテンツデータに関連付けて、最終閲覧者、最終閲覧日時、最終更新者、最終更新日時、バージョン情報、概要、およびその他のパラメータを含むメタデータを記憶する。つまり、メタデータは、コンテンツデータの内容を示す情報を含む。なお、概要とは、コンテンツの要約、目次、その他のコンテンツデータの内容に係る情報を文字列によって表したものである。
インタフェース４００は、表示端末１と外部装置とを接続するために設けられる。
【００１２】
表示装置５００は、補助記憶装置３００が記憶するデータを不揮発に表示する。表示装置５００は、電子ペーパーによって実現される。電子ペーパーの方式としては、例えば、色の異なる粒子を流体を収めたマイクロカプセル中で当該粒子を電気泳動させる方式、半面ずつ色が異なるマイクロカプセルを反転させる方式、およびコレステリック液晶を用いる方式などが挙げられる。
入力装置６００は、利用者から表示端末１に対する入力を受け付ける。入力装置６００は、例えば表示装置５００に重畳されたタッチパッド、筐体に配されたボタン、またはその他の入力デバイスによって実現される。
【００１３】
ＣＰＵ１００は、プログラムを補助記憶装置３００から読み出して主記憶装置２００に展開し、当該プログラムを実行することで、コンテンツ取得部１０１、表示制御部１０２、コンテンツ更新部１０３、メタデータ更新部１０４、表示停止指示受付部１０５、関連情報生成部１０６、関連情報取得部１０７、電源制御部１０８を備える。
【００１４】
コンテンツ取得部１０１は、補助記憶装置３００のコンテンツ記憶部３０２から利用者が指定したコンテンツデータを取得する。
表示制御部１０２は、コンテンツ取得部１０１が取得したコンテンツデータまたは関連情報取得部１０７が取得した関連情報を、表示装置５００に表示させる。
コンテンツ更新部１０３は、入力装置６００を介した利用者の入力に基づいて、コンテンツ記憶部３０２が記憶するコンテンツデータを書き換える。
メタデータ更新部１０４は、コンテンツ取得部１０１が取得したコンテンツデータおよびコンテンツ更新部１０３が更新したコンテンツデータについてのメタデータを更新する。
表示停止指示受付部１０５は、入力装置６００を介した利用者の入力に基づいて、表示装置５００にコンテンツデータの表示を停止させる表示停止指示を受け付ける。表示停止指示は、表示端末１の電源を遮断するシャットダウン指示（電源遮断指示）と、表示端末１の電源を遮断せずにコンテンツデータの表示を停止させるクローズ指示とを含む。他の実施形態に係る表示停止指示は、表示端末１を省電力化させるスリープ指示を含んでも良い。
関連情報生成部１０６は、コンテンツ記憶部３０２が記憶するコンテンツデータおよびそのメタデータに基づいて、コンテンツデータに関する情報である関連情報を生成する。具体的には、関連情報生成部１０６は、関連情報としてコンテンツ記憶部３０２が記憶するコンテンツデータのリストを生成する。
関連情報取得部１０７は、関連情報生成部１０６が生成した関連情報を取得する。
電源制御部１０８は、表示停止指示受付部１０５がシャットダウン指示を受け付けた場合に、表示端末１の電源を遮断する。
【００１５】
本実施形態に係る表示端末１の動作について説明する。
図２は、第１の実施形態に係る表示端末の動作を示すフローチャートである。
表示端末１の表示停止指示受付部１０５は、入力装置６００を介した利用者による入力を待機する（ステップＳ１）。利用者による入力がない場合、表示端末１は、ステップＳ１に戻り、入力の待機を継続する（ステップＳ１：ＮＯ）。利用者によって入力がなされた場合、表示停止指示受付部１０５は、当該入力が表示停止指示であるか否かを判定する（ステップＳ２）。
【００１６】
入力が表示停止指示でない場合（ステップＳ２：ＮＯ）、ＣＰＵ１００は、入力に応じた処理を実行する（ステップＳ３）。例えば、入力が表示すべきコンテンツデータの選択を示す場合、コンテンツ取得部１０１は、選択されたコンテンツデータをコンテンツ記憶部３０２から読み出し、表示制御部１０２は当該コンテンツデータを表示装置５００に表示させる。また例えば、入力が表示すべきコンテンツデータの編集を示す場合、コンテンツ更新部１０３は、表示装置５００に表示されているコンテンツデータを入力に基づいて変更し、変更後のコンテンツデータをコンテンツ記憶部３０２に上書きして記録する。次に、メタデータ更新部１０４は、ステップＳ３の処理に基づいてコンテンツ記憶部３０２が記憶するメタデータを更新する（ステップＳ４）。例えば、メタデータ更新部１０４は、コンテンツ取得部１０１が取得したコンテンツデータについてのメタデータの最終閲覧者および最終閲覧日時を更新する。また例えば、メタデータ更新部１０４は、コンテンツ更新部１０３が更新したコンテンツデータについてのメタデータの最終更新者、最終更新日時およびバージョン情報を更新する。メタデータが更新されると、表示端末１は、ステップＳ１に戻り、入力の待機を継続する。
【００１７】
他方、利用者による入力が表示停止指示である場合（ステップＳ２：ＹＥＳ）、関連情報生成部１０６は、コンテンツ記憶部３０２が記憶するコンテンツデータおよびそのメタデータに基づいて、コンテンツデータのリストを関連情報として生成する（ステップＳ５）。具体的には、関連情報生成部１０６は、コンテンツ記憶部３０２が記憶する全てのコンテンツデータから識別情報（例えばファイル名）を取得する。次に関連情報生成部１０６は、各コンテンツデータについてのメタデータから、必要なパラメータを読み出す。必要なパラメータとは、メタデータに含まれるパラメータのうち表示端末１の初期設定において利用者によって選択されたものである。そして、関連情報生成部１０６は、コンテンツ記憶部３０２が記憶する全てのコンテンツデータについての識別情報とパラメータを表すリストを生成する。
【００１８】
図３は、関連情報の例を示す図である。
図３に示すように関連情報生成部１０６は、コンテンツデータの識別情報であるファイル名と、必要なパラメータであるバージョン、最終更新日、最終閲覧日および概要とを、コンテンツ記憶部３０２が記憶するコンテンツデータごとに表したリストを、関連情報として生成する。なお、本実施形態に係る関連情報は、コンテンツデータの識別情報と当該コンテンツデータの内容とを含むが、これに限られない。例えば、他の実施形態では、関連情報が、コンテンツデータの識別情報を含まずコンテンツデータの内容のみを表すものであってもよい。また例えば、他の実施形態では、関連情報が、コンテンツデータの内容の情報を含まずコンテンツデータの識別情報のみを表すものであってもよい。
【００１９】
関連情報生成部１０６が関連情報を生成すると、関連情報取得部１０７は、関連情報生成部１０６が生成した関連情報を取得する（ステップＳ６）。次に、表示制御部１０２は、関連情報取得部１０７が取得した関連情報を、コンテンツデータに代えて表示装置５００に表示させる（ステップＳ７）。つまり、表示制御部１０２は、表示装置５００におけるコンテンツデータの表示を消去し、表示装置５００に新たに関連情報を表示させる。これにより、関連情報は不揮発的に表示される。
次に、電源制御部１０８は、ステップＳ２で表示停止指示受付部１０５が受け付けた表示停止指示がシャットダウン指示であるか否かを判定する（ステップＳ８）。表示停止指示がシャットダウン指示でない場合（ステップＳ８：ＮＯ）、表示端末１は、ステップＳ１に戻り、入力の待機を継続する。他方、表示停止指示がシャットダウン指示である場合（ステップＳ８：ＹＥＳ）、電源制御部１０８は、表示端末１の電源を遮断し、処理を終了する（ステップＳ９）。なお、電源遮断の後に電源の供給を再開した場合、表示制御部１０２は、電源供給の再開が分かる情報を表示装置５００に表示させることが好ましい。例えば、電源の供給を再開した場合、表示制御部１０２は、表示装置５００にログイン画面を表示させても良い。また例えば、電源制御部１０８が電源の供給を再開した場合、表示制御部１０２は、シャットダウン指示を受け付ける直前に表示装置５００に表示させていたコンテンツを表示させても良い。このとき表示制御部１０２は、ログイン情報やＩＤ等に基づいて、同一人物が最後に閲覧したコンテンツを表示させても良い。
【００２０】
このように、本実施形態に係る表示端末１は、コンテンツデータを記憶する補助記憶装置３００と、コンテンツデータを不揮発的に表示する表示装置５００と、コンテンツデータの表示を停止させる表示停止指示を受け付けた場合に、表示装置５００の表示の少なくとも一部をコンテンツデータの関連情報に変更させる表示制御部１０２とを備える。これにより、表示端末１は、特定のコンテンツデータを表示しないときに、自装置が記憶するコンテンツデータの関連情報を不揮発的に表示する。したがって、利用者は、表示端末１にどのようなコンテンツデータが記録されているかを容易に把握することができる。特に、複数の表示端末１が同一のキャビネットに格納される場合であっても、利用者は、複数の表示端末１の中から、所望のコンテンツデータが記録されている表示端末１を容易に探すことができる。
【００２１】
また本実施形態によれば、電源制御部１０８は、シャットダウン指示を受け付けた場合に、表示制御部１０２が関連情報を表示させた後に、自装置の電源を遮断する。これにより、表示端末１は、自装置の電源を遮断する場合にも、関連情報を表示させることができる。これにより表示端末１は、消費電力を抑えつつ、自装置が記憶するコンテンツデータを利用者に知らせることができる。なお、他の実施形態においてはこれに限られず、例えば他の実施形態に係る表示制御部１０２は、クローズ指示を受け付けた場合に関連情報を表示させ、シャットダウン指示を受け付けた場合に表示をリセットしても良い。
【００２２】
また本実施形態によれば、表示制御部１０２は、表示停止指示を受け付けた場合に、コンテンツデータに代えて関連情報を表示装置５００に表示させる。これにより、表示装置５００に関連情報以外の余分な情報が表示されないため、利用者は、表示端末１にどのようなコンテンツデータが記録されているかを容易に把握することができる。なお、他の実施形態においてはこれに限られず、例えば他の実施形態に係る表示制御部１０２は、最後に表示したコンテンツデータに重畳して関連情報を表示させても良い。つまり、他の実施形態に係る表示制御部１０２は、表示装置５００の表示の一部を関連情報に変更するものであっても良い。
【００２３】
また、本実施形態によれば、表示端末１は、補助記憶装置３００が記憶するコンテンツデータに基づいて関連情報を生成する関連情報生成部１０６を備える。これにより、表示端末１は、関連情報を予め補助記憶装置３００に記憶させておかなくても、関連情報を表示することができる。なお、他の実施形態においてはこれに限られず、例えば他の実施形態に係る表示端末１は、利用者が生成した関連情報を予め補助記憶装置３００に記録しておき、表示停止指示を受け付けた場合に当該関連情報を表示させても良い。
【００２４】
また、本実施形態に係る関連情報は、補助記憶装置３００が記憶する複数のコンテンツデータのリストである。これにより、表示端末１に複数のコンテンツデータが記録されている場合にも、利用者は、表示端末１にどのようなコンテンツデータが記録されているかを容易に把握することができる。なお、他の実施形態においてはこれに限られず、例えば他の実施形態に係る関連情報は、複数のコンテンツデータを集約した情報であっても良い。例えば、他の実施形態に係る表示端末１が図３に示すように、コンテンツデータとして「就業規則１．ｐｄｆ」、「就業規則２．ｐｄｆ」、「就業規則３．ｐｄｆ」、「就業規則４．ｐｄｆ」、「就業規則５．ｐｄｆ」を記憶する場合、表示制御部１０２は、これらのコンテンツデータを集約した「就業規則」を、関連情報として表示装置５００に表示させても良い。
【００２５】
《第２の実施形態》
以下、図面を参照しながら第２の実施形態について詳しく説明する。
図４は、第２の実施形態に係る表示端末の構成を示す概略ブロック図である。
第１の実施形態に係る表示端末１は、表示停止指示を受け付けるたびに関連情報を生成して表示させる。これに対し、第２の実施形態に係る表示端末１は、補助記憶装置３００に関連情報を記録しておき、表示停止指示を受け付けた場合に当該関連情報を表示させる。
【００２６】
第２の実施形態に係るＣＰＵ１００は、第１の実施形態のメタデータ更新部１０４および関連情報生成部１０６に代えて、関連情報更新部１０９を備える。また第２の実施形態に係る補助記憶装置３００は、第１の実施形態の構成に加えてさらに関連情報記憶部３０３を備える。
関連情報記憶部３０３は、コンテンツ記憶部３０２が記憶するコンテンツデータに関連する関連情報を記憶する。
関連情報更新部１０９は、コンテンツ取得部１０１によるコンテンツデータの取得およびコンテンツ更新部１０３によるコンテンツデータの更新に応じて、関連情報記憶部３０３が記憶する関連情報を更新する。
【００２７】
本実施形態に係る表示端末１の動作について説明する。
図５は、第２の実施形態に係る表示端末の動作を示すフローチャートである。
表示端末１の表示停止指示受付部１０５は、入力装置６００を介した利用者による入力を待機する（ステップＳ２１）。利用者による入力がない場合、表示端末１は、ステップＳ２１に戻り、入力の待機を継続する（ステップＳ２１：ＮＯ）。利用者によって入力がなされた場合、表示停止指示受付部１０５は、当該入力が表示停止指示であるか否かを判定する（ステップＳ２２）。
【００２８】
入力が表示停止指示でない場合（ステップＳ２２：ＮＯ）、ＣＰＵ１００は、入力に応じた処理を実行する（ステップＳ２３）。次に、関連情報更新部１０９は、ステップＳ２３の処理に基づいて関連情報記憶部３０３が記憶する関連情報を更新する（ステップＳ２４）。例えば、関連情報更新部１０９は、コンテンツ取得部１０１がコンテンツデータを取得した場合、関連情報記憶部３０３が記憶する関連情報に含まれる、当該コンテンツデータの最終閲覧者および最終閲覧日時を更新する。また例えば、関連情報更新部１０９は、コンテンツ更新部１０３がコンテンツデータを更新した場合、関連情報記憶部３０３が記憶する関連情報に含まれる、当該コンテンツデータの最終更新者、最終更新日時およびバージョン情報を更新する。
関連情報が更新されると、表示端末１は、ステップＳ２１に戻り、入力の待機を継続する。
【００２９】
他方、利用者による入力が表示停止指示である場合（ステップＳ２２：ＹＥＳ）、関連情報取得部１０７は、関連情報記憶部３０３から関連情報を読み出す（ステップＳ２５）。次に、表示制御部１０２は、関連情報取得部１０７が取得した関連情報を、コンテンツデータに代えて表示装置５００に表示させる（ステップＳ２６）。次に、電源制御部１０８は、ステップＳ２２で表示停止指示受付部１０５が受け付けた表示停止指示がシャットダウン指示であるか否かを判定する（ステップＳ２７）。表示停止指示がシャットダウン指示でない場合（ステップＳ２７：ＮＯ）、表示端末１は、ステップＳ２１に戻り、入力の待機を継続する。他方、表示停止指示がシャットダウン指示である場合（ステップＳ２７：ＹＥＳ）、電源制御部１０８は、表示端末１の電源を遮断し、処理を終了する（ステップＳ２８）。
【００３０】
このように、本実施形態に係る表示端末１によれば、補助記憶装置３００が関連情報を記憶し、表示制御部１０２が、表示停止指示を受け付けた場合に、補助記憶装置３００が記憶する関連情報を表示装置５００に表示させる。これにより、表示端末１は、表示停止指示を受け付けるたびに関連情報を生成することなく、関連情報を表示することができる。特に、本実施形態に係る表示端末１は、コンテンツデータが閲覧または編集された場合に、補助記憶装置３００が記憶する関連情報を更新する関連情報更新部１０９を備える。これにより、表示端末１は、表示停止指示を受け付けるたびに関連情報を生成することなく、最新の関連情報を表示することができる。
【００３１】
なお、他の実施形態においては、表示端末１は、関連情報更新部１０９および関連情報記憶部３０３に加えて、第１の実施形態と同様に関連情報生成部１０６を備えても良い。この場合、関連情報生成部１０６は、関連情報記憶部３０３に関連情報が記録されていない場合に、関連情報を生成して関連情報記憶部３０３に記録する。他方、関連情報更新部１０９は、関連情報記憶部３０３に関連情報が記録されている場合に、当該関連情報を更新する。
【００３２】
《第３の実施形態》
以下、図面を参照しながら第３の実施形態について詳しく説明する。
図６は、第３の実施形態に係る表示端末の構成を示す概略ブロック図である。
第１および第２の実施形態に係る表示端末１は、表示停止指示を受け付けた場合に、必ず関連情報を表示装置５００に表示させる。他方、秘匿情報を表すコンテンツデータが記録された表示端末１を会社外に持ち出す場合、会社外において関連情報が表示されることが好ましくない場合がある。第３の実施形態に係る表示端末１は、状況に応じて関連情報を表示するか否かを判定する。
第３の実施形態に係るＣＰＵ１００は、第１の実施形態の構成に加え、さらに判定部１１０を備える。判定部１１０は、表示停止指示を受け付けた場合に、入力装置６００に入力された情報に基づいて、関連情報を表示装置５００に表示させるか否かを判定する。
【００３３】
本実施形態に係る表示端末１の動作について説明する。
図７は、第３の実施形態に係る表示端末の動作を示すフローチャートである。
表示端末１の表示停止指示受付部１０５は、入力装置６００を介した利用者による入力を待機する（ステップＳ４１）。利用者による入力がない場合、表示端末１は、ステップＳ４１に戻り、入力の待機を継続する（ステップＳ４１：ＮＯ）。利用者によって入力がなされた場合、表示停止指示受付部１０５は、当該入力が表示停止指示であるか否かを判定する（ステップＳ４２）。
【００３４】
入力が表示停止指示でない場合（ステップＳ４２：ＮＯ）、ＣＰＵ１００は、入力に応じた処理を実行する（ステップＳ４３）。次に、メタデータ更新部１０４は、ステップＳ４３の処理に基づいてコンテンツ記憶部３０２が記憶するメタデータを更新する（ステップＳ４４）。メタデータが更新されると、表示端末１は、ステップＳ４１に戻り、入力の待機を継続する。
【００３５】
他方、利用者による入力が表示停止指示である場合（ステップＳ４２：ＹＥＳ）、表示制御部１０２は、関連情報を表示装置５００に表示させるか否かの入力を促す画面を表示させ、表示端末１は関連情報の表示の可否の入力を待機する（ステップＳ４５）。利用者は、入力装置６００を介して、関連情報の表示の可否の入力する。入力装置６００に利用者から関連情報の表示の可否が入力されると、判定部１１０は、当該入力に基づいて、関連情報を表示装置５００に表示させるか否かを判定する（ステップＳ４６）。
【００３６】
関連情報を表示装置５００に表示させる旨の入力がなされた場合（ステップＳ４６：ＹＥＳ）、関連情報生成部１０６は、コンテンツ記憶部３０２が記憶するコンテンツデータおよびそのメタデータに基づいて、コンテンツデータのリストを関連情報として生成する（ステップＳ４７）。次に、関連情報取得部１０７は、関連情報生成部１０６が生成した関連情報を取得する（ステップＳ４８）。次に、表示制御部１０２は、関連情報取得部１０７が取得した関連情報を、コンテンツデータに代えて表示装置５００に表示させる（ステップＳ４９）。
【００３７】
関連情報を表示装置５００に表示させない旨の入力がなされた場合（ステップＳ４６：ＮＯ）、表示制御部１０２は、表示装置５００に所定のロック画面を表示させる（ステップＳ５０）。ロック画面とは、第三者によって閲覧されても問題のない画面である。ロック画面の例としては、一色のベタ塗りの画面、コンテンツ記憶部３０２に記憶されていない、表示端末１にプリインストールされている所定の画像を表示する画面、コンテンツ記憶部３０２に記憶されているコンテンツデータのうち、莉王者によって予め指定されたものを表示する画面などが挙げられる。なお、表示制御部１０２は、コンテンツデータの残像を残さないために、表示装置５００をリフレッシュさせてから、表示装置５００にロック画面を表示させても良い。
【００３８】
表示制御部１０２が表示装置５００に関連情報またはロック画面を表示させると、電源制御部１０８は、ステップＳ４２で表示停止指示受付部１０５が受け付けた表示停止指示がシャットダウン指示であるか否かを判定する（ステップＳ５１）。表示停止指示がシャットダウン指示でない場合（ステップＳ５１：ＮＯ）、表示端末１は、ステップＳ４１に戻り、入力の待機を継続する。他方、表示停止指示がシャットダウン指示である場合（ステップＳ５１：ＹＥＳ）、電源制御部１０８は、表示端末１の電源を遮断し、処理を終了する（ステップＳ５２）。
【００３９】
このように、本実施形態に係る表示端末１は、表示停止指示を受け付けた場合に、関連情報を表示装置５００に表示させるか否かを判定する判定部１１０を備える。これにより、利用者は、関連情報の表示可否の入力により、関連情報を表示させないようにすることができる。したがって、利用者は、会社外において秘匿情報を表すコンテンツデータが記録された表示端末１に関連情報が表示されること防ぐことができる。
【００４０】
なお、本実施形態に係る表示端末１は、第１の実施形態と同様に関連情報を生成して表示するが、これに限られない。例えば、他の実施形態に係る表示端末１は、メタデータ更新部１０４および関連情報生成部１０６に代えて、関連情報更新部１０９および関連情報記憶部３０３を備えることで、第２の実施形態と同様に関連情報記憶部３０３に記録された関連情報を表示しても良い。
【００４１】
《第４の実施形態》
以下、図面を参照しながら第４の実施形態について詳しく説明する。
図８は、第４の実施形態に係る表示端末の構成を示す概略ブロック図である。
第３の実施形態に係る表示端末１は、利用者からの入力に基づいて関連情報を表示するか否かを判定する。これに対し第４の実施形態に係る表示端末１は、予め記憶された設定情報に基づいて関連情報を表示するか否かを判定することで、利用者による入力を省略する。
【００４２】
第４の実施形態に係るＣＰＵ１００は、第３の実施形態の構成に加え、さらに設定情報取得部１１１を備える。また第４の実施形態に係る補助記憶装置３００は、第３の実施形態の構成に加え、さらに設定情報記憶部３０４を備える。
設定情報記憶部３０４は、表示停止指示を受け付けた場合に関連情報を表示するか否かを示す設定情報を記憶する。設定情報取得部１１１は、表示停止指示を受け付けた場合に設定情報記憶部３０４から設定情報を読み出す。
また、第４の実施形態に係る表示端末１は、判定部１１０の動作が第３の実施形態と異なる。第４の実施形態に係る判定部１１０は、第３の実施形態における表示可否の入力に代えて、設定情報取得部１１１が読み出した設定情報に基づいて、表示装置５００に関連情報を表示するか否かを判定する。
【００４３】
このように、本実施形態に係る判定部１１０は、関連情報を表示装置５００に表示させるか否かを示す設定に基づいて、関連情報を表示装置５００に表示させるか否かを判定する。これにより、利用者は、第３の実施形態と同様に、会社外において秘匿情報を表すコンテンツデータが記録された表示端末１に関連情報が表示されること防ぐことができる。
なお、本実施形態に係る判定部１１０は、設定情報取得部１１１が設定情報記憶部３０４から読み出した設定情報に基づいて関連情報を表示装置５００に表示させるか否かを判定するが、これに限られない。例えば、他の実施形態に係る判定部１１０は、表示停止指示が入力されたときの表示端末１に設けられたスイッチのＯＮ／ＯＦＦに基づいて、関連情報を表示装置５００に表示させるか否かを判定しても良い。つまり、スイッチのＯＮ／ＯＦＦは、関連情報を表示装置５００に表示させるか否かを示す設定の一例である。なおスイッチの例としては、スライドスイッチ、ロッカスイッチ、トグルスイッチなどのＯＮ／ＯＦＦの切り替えが可能なスイッチが挙げられる。
また、他の実施形態において、ボタンの押下によって表示停止指示が入力される場合、判定部１１０は、ボタンが長押しされたか否かに基づいて、関連情報を表示装置５００に表示させるか否かを判定しても良い。つまり、ボタンが長押しであるか否かは、関連情報を表示装置５００に表示させるか否かを示す設定の一例である。
【００４４】
なお、本実施形態に係る表示端末１は、第１の実施形態と同様に関連情報を生成して表示するが、これに限られない。例えば、他の実施形態に係る表示端末１は、メタデータ更新部１０４および関連情報生成部１０６に代えて、関連情報更新部１０９および関連情報記憶部３０３を備えることで、第２の実施形態と同様に関連情報記憶部３０３に記録された関連情報を表示しても良い。
【００４５】
《第５の実施形態》
以下、図面を参照しながら第５の実施形態について詳しく説明する。
図９は、第５の実施形態に係る表示端末の構成を示す概略ブロック図である。
第３の実施形態に係る表示端末１は、利用者からの入力に基づいて関連情報を表示するか否かを判定する。これに対し第５の実施形態に係る表示端末１は、無線通信環境に基づいて関連情報を表示するか否かを判定することで、利用者による入力を省略する。
【００４６】
第５の実施形態に係る表示端末１は、第３の実施形態の構成に加え、さらに通信装置７００を備える。通信装置７００は、無線通信に係る電波を送受信し、外部の装置との通信を行う。通信装置７００による無線通信方式の例としては、無線ＬＡＮ、Ｂｌｕｅｔｏｏｔｈ（登録商標）、ＺｉｇＢｅｅ（登録商標）などが挙げられる。
また、第５の実施形態に係る表示端末１は、判定部１１０の動作が第３の実施形態と異なる。第５の実施形態に係る判定部１１０は、第３の実施形態における表示可否の入力に代えて、通信装置７００と外部の装置との通信状態に基づいて、表示装置５００に関連情報を表示するか否かを判定する。具体的には、判定部１１０は、通信装置７００が所定の装置との接続に成功した場合に、関連情報を表示すると判定する。他方、判定部１１０は、通信装置７００が所定の装置との接続に失敗した場合に、関連情報を表示すると判定する。所定の装置とは、例えば会社内に設けられたアクセスポイントや、利用者が所有する携帯電話などが挙げられる。
【００４７】
このように、本実施形態に係る判定部１１０は、所定の通信が検出できた場合に、関連情報を前記表示部に表示させると判定する。これにより、利用者は、第３の実施形態と同様に、会社外において秘匿情報を表すコンテンツデータが記録された表示端末１に関連情報が表示されること防ぐことができる。
【００４８】
なお、本実施形態に係る表示端末１は、第１の実施形態と同様に関連情報を生成して表示するが、これに限られない。例えば、他の実施形態に係る表示端末１は、メタデータ更新部１０４および関連情報生成部１０６に代えて、関連情報更新部１０９および関連情報記憶部３０３を備えることで、第２の実施形態と同様に関連情報記憶部３０３に記録された関連情報を表示しても良い。
【００４９】
以上、図面を参照して一実施形態について詳しく説明してきたが、具体的な構成は上述のものに限られることはなく、様々な設計変更等をすることが可能である。
例えば、上述した実施形態においては、表示停止指示は、入力装置６００を介して利用者によって入力されるが、これに限られない。例えば、他の実施形態に係る表示端末１は、入力装置６００を介した最後の操作から処置時間が経過したときに表示停止指示を生成し、当該表示停止指示に基づいて表示装置５００に関連情報を表示させても良い。また他の実施形態に係る表示端末１は、所定のキャビネット内に設けられたビーコン機器から表示停止指示を示すビーコン信号を受信した場合に、表示装置５００に関連情報を表示させても良い。この場合、利用者は、明示的に表示停止指示の入力をしなくても、所定の時間の経過、またはキャビネットへの収納により、表示装置５００に関連情報を表示させることができる。これにより、利用者による表示停止指示の入力忘れによって関連情報が表示されないことを防ぐことができる。
【００５０】
また、上述した実施形態では、表示端末１は、コンテンツデータと別個のデータである関連情報を表示装置５００に表示させるが、これに限られない。例えば、他の実施形態においては、表示端末１は、コンテンツデータのうち、当該コンテンツデータの概要が示される部分を、関連情報として表示装置５００に表示させても良い。例えば、表示端末１は、コンテンツデータに含まれる表紙ページまたは目次ページを、関連情報として表示装置５００に表示させても良い。
【００５１】
また、上述した実施形態では、表示端末１は、コンテンツ記憶部３０２が記憶する全てのコンテンツデータについての関連情報を表示するが、これに限られない。例えば、他の実施形態に係る表示端末１は、コンテンツ記憶部３０２が記憶する一部のコンテンツデータについての関連情報を表示しても良い。具体的には、表示端末１は、関連情報に含めるコンテンツデータ、または関連情報に含めないコンテンツデータを示す情報を予め記憶しておき、当該情報に基づいて関連情報を生成し、または更新する。これにより、表示端末１は、一部のコンテンツデータについての関連情報を表示することができる。
【００５２】
また、上述した実施形態では、表示装置５００が補助記憶装置３００に記録されているコンテンツデータを表示するが、これに限られない。例えば、他の実施形態に係る表示装置５００は、外部記憶装置（外付けの記録媒体またはネットワークを介して接続されるデータベース装置など）に記録されているコンテンツデータを表示しても良い。なお、補助記憶装置３００および外部記憶装置は、いずれも記憶部の一例である。
【００５３】
《基本構成》
図１０は、表示端末の基本構成を示す概略ブロック図である。
上述した実施形態では、表示端末１の一実施形態として図１、図４、図６、図８および図９に示す構成について説明したが、表示端末１の基本構成は、図１０に示すとおりである。
すなわち、表示端末１は、表示部９０１および表示制御部１０２を基本構成とする。
表示部９０１は、所定の記憶部が記憶するコンテンツデータを不揮発的に表示する。なお、表示装置５００は、表示部９０１の一例である。
表示制御部１０２は、コンテンツデータの表示を停止させる表示停止指示を受け付けた場合に、表示部９０１にコンテンツデータに関する情報である関連情報を表示させる。
これにより、表示端末１は、特定のコンテンツデータを表示しないときに、自装置が記憶するコンテンツデータに関する情報である関連情報を不揮発的に表示する。したがって、利用者は、表示端末１がどのようなコンテンツデータを表示可能かを容易に把握することができる。
【００５４】
なお、少なくとも１つの実施形態において、補助記憶装置３００は、一時的でない有形の媒体の一例である。一時的でない有形の媒体の他の例としては、インタフェースを介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータに配信される場合、配信を受けたコンピュータが当該プログラムを主記憶装置２００に展開し、上記処理を実行しても良い。
【００５５】
また、当該プログラムは、前述した機能の一部を実現するためのものであっても良い。さらに、当該プログラムは、前述した機能を補助記憶装置３００に既に記憶されている他のプログラムとの組み合わせで実現するもの、いわゆる差分ファイル（差分プログラム）であっても良い。
【符号の説明】
【００５６】
１  表示端末
１０１  コンテンツ取得部
１０２  表示制御部
１０３  コンテンツ更新部
１０４  メタデータ更新部
１０５  表示停止指示受付部
１０６  関連情報生成部
１０７  関連情報取得部
１０８  電源制御部
１０９  関連情報更新部
１１０  判定部
１１１  設定情報取得部
３０２  コンテンツ記憶部
３０３  関連情報記憶部
３０４  設定情報記憶部
５００  表示装置
７００  通信装置
【図１】
2018100985.tif 000003
【図２】
2018100985.tif 000004
【図３】
2018100985.tif 000005
【図４】
2018100985.tif 000006
【図５】
2018100985.tif 000007
【図６】
2018100985.tif 000008
【図７】
2018100985.tif 000009
【図８】
2018100985.tif 000010
【図９】
2018100985.tif 000011
【図１０】
2018100985.tif 000012